(57)【特許請求の範囲】
【請求項１】
ユーザ機器が、サービングセルの時分割複信（ＴＤＤ）構成およびマルチキャストブロードキャスト単一周波数ネットワーク（ＭＢＳＦＮ）構成を決定することと、
前記ユーザ機器が、前記サービングセル上の前記ＴＤＤ構成および前記ＭＢＳＦＮ構成に関連した１つまたは複数のネイバリングセルのＴＤＤ構成およびＭＢＳＦＮ構成のうちの少なくとも１つを示す２ビットのネイバーセル構成情報を受信することと、
前記ユーザ機器が、前記１つまたは複数のネイバリングセルのうちの少なくとも１つのための発見基準信号（ＤＲＳ）の構成を受信すること、ここにおいて、前記構成は、少なくとも前記ＤＲＳのための開始サブフレームインデックスを備える、と、
前記ユーザ機器が、前記受信された２ビットのネイバーセル構成情報、前記サービングセルの前記ＴＤＤ構成および前記ＭＢＳＦＮ構成、ならびに前記ＤＲＳのための前記開始サブフレームインデックスに基づいて、前記１つまたは複数のネイバリングセルのうちの前記少なくとも１つのための前記ＤＲＳの持続時間の１つまたは複数のサブフレーム中に共通基準信号（ＣＲＳ）が存在するかどうかを決定することと
を備える、ワイヤレス通信の方法。
【請求項２】
前記１つまたは複数のサブフレーム中に前記ＣＲＳが存在すると決定されたとき、前記１つまたは複数のネイバリングセルのうちの前記少なくとも１つを測定することをさらに備える、
請求項１に記載の方法。
【請求項３】
ＤＲＳの前記受信された構成は、前記１つまたは複数のネイバリングセルのうちの前記少なくとも１つのためのチャネル状態情報基準信号（ＣＳＩ−ＲＳ）構成の少なくとも１つをさらに示す、
請求項１に記載の方法。
【請求項４】
前記ＣＲＳが存在するかどうかを前記決定することは、前記ＣＳＩ−ＲＳ構成にさらに基づく、
請求項３に記載の方法。
【請求項５】
前記ＣＳＩ−ＲＳ構成中の少なくとも１つのＣＳＩ−ＲＳは、前記１つまたは複数のネイバリングセルのうちの前記少なくとも１つに関連する、または
前記方法は、ＣＳＩ−ＲＳが、前記１つまたは複数のサブフレームのうちの少なくとも１つ中に存在するように構成されると決定することをさらに備え、
前記決定することは、前記１つまたは複数のサブフレームのうちの前記少なくとも１つ中に前記ＣＲＳが存在すると決定することを備える、または
前記方法は、
前記１つまたは複数のサブフレーム中のスペシャルサブフレームを決定することと、
前記ＣＳＩ−ＲＳが前記スペシャルサブフレーム中に存在するように構成されると決定することと
をさらに備え、
前記ＣＲＳが存在するかどうかを前記決定することは、前記スペシャルサブフレーム中のＣＳＩ−ＲＳを含んでいる最後のシンボルに基づいて、前記スペシャルサブフレーム中に前記ＣＲＳが存在すると決定することを備える、
請求項４に記載の方法。
【請求項６】
ＣＳＩ−ＲＳは、非ゼロ電力ＣＳＩ−ＲＳまたはゼロ電力ＣＳＩ−ＲＳのうちの少なくとも１つである、または
ＣＳＩ−ＲＳは、スペシャルサブフレーム中に存在することを禁止され、
前記構成は、前記ＤＲＳの前記持続時間を備え、
ＣＳＩ−ＲＳは、前記ＤＲＳの前記示された持続時間中の第１のサブフレーム中に存在するように構成され、前記方法は、前記第１のサブフレームの後の１つまたは複数のサブフレームがダウンリンクサブフレームであると決定することをさらに備え、
前記第１のサブフレームは、フレームのサブフレーム６である、
請求項３に記載の方法。
【請求項７】
前記構成は、前記ＤＲＳの前記持続時間を備え、前記方法は、
前記ＤＲＳの前記持続時間中の最後のサブフレームがアップリンクサブフレームであるかどうかを決定することと、
前記ＤＲＳ持続時間中の前記最後のサブフレームがアップリンクサブフレームであると決定されたとき、前記ＤＲＳ構成が誤構成であると決定することと
をさらに備える、請求項１に記載の方法。
【請求項８】
サービングセルの時分割複信（ＴＤＤ）構成およびマルチキャストブロードキャスト単一周波数ネットワーク（ＭＢＳＦＮ）構成を決定するための手段と、
前記サービングセル上の前記ＴＤＤ構成および前記ＭＢＳＦＮ構成に関連した１つまたは複数のネイバリングセルのＴＤＤ構成およびＭＢＳＦＮ構成のうちの少なくとも１つを示す２ビットのネイバーセル構成情報を受信するための手段と、
前記１つまたは複数のネイバリングセルのうちの少なくとも１つのための発見基準信号（ＤＲＳ）の構成を受信するための手段、ここにおいて、前記構成が、少なくとも前記ＤＲＳのための開始サブフレームインデックスを備える、と、
前記受信された２ビットのネイバーセル構成情報、前記サービングセルの前記ＴＤＤ構成および前記ＭＢＳＦＮ構成、ならびに前記ＤＲＳのための前記開始サブフレームインデックスに基づいて、前記１つまたは複数のネイバリングセルのうちの前記少なくとも１つのための前記ＤＲＳの持続時間の１つまたは複数のサブフレーム中に共通基準信号（ＣＲＳ）が存在するかどうかを決定するための手段と
を備える、ワイヤレス通信のためのユーザ機器。
【請求項９】
前記１つまたは複数のサブフレーム中に前記ＣＲＳが存在すると決定されたとき、前記１つまたは複数のネイバリングセルのうちの前記少なくとも１つを測定するための手段をさらに備える、
請求項８に記載のユーザ機器。
【請求項１０】
ＤＲＳの前記受信された構成が、前記１つまたは複数のネイバリングセルのうちの前記少なくとも１つのためのチャネル状態情報基準信号（ＣＳＩ−ＲＳ）構成の少なくとも１つをさらに示す、
請求項８に記載のユーザ機器。
【請求項１１】
前記決定するための手段は、前記ＣＳＩ−ＲＳ構成にさらに基づいて、前記ＣＲＳが存在するかどうかを決定するように構成される、
請求項１０に記載のユーザ機器。
【請求項１２】
前記ＣＳＩ−ＲＳ構成中の少なくとも１つのＣＳＩ−ＲＳは、前記１つまたは複数のネイバリングセルのうちの前記少なくとも１つに関連する、または
前記ユーザ機器は、ＣＳＩ−ＲＳが、前記１つまたは複数のサブフレームのうちの少なくとも１つ中に存在するように構成されると決定するための手段をさらに備え、前記決定するための手段は、前記１つまたは複数のサブフレームのうちの前記少なくとも１つ中に前記ＣＲＳが存在すると決定するように構成される、または
前記ユーザ機器は、
前記１つまたは複数のサブフレーム中のスペシャルサブフレームを決定するための手段と、
前記ＣＳＩ−ＲＳが前記スペシャルサブフレーム中に存在するように構成されると決定するための手段と
をさらに備え、
前記決定するための手段は、前記スペシャルサブフレーム中のＣＳＩ−ＲＳを含んでいる最後のシンボルに基づいて、前記スペシャルサブフレーム中に前記ＣＲＳが存在すると決定するように構成される、
請求項１１に記載のユーザ機器。
【請求項１３】
ＣＳＩ−ＲＳは、非ゼロ電力ＣＳＩ−ＲＳまたはゼロ電力ＣＳＩ−ＲＳのうちの少なくとも１つである、または
ＣＳＩ−ＲＳは、スペシャルサブフレーム中に存在することを禁止され、
前記構成は、前記ＤＲＳの前記持続時間を備え、
ＣＳＩ−ＲＳは、第１のサブフレーム中に存在するように構成され、前記ユーザ機器は、前記第１のサブフレームの後の１つまたは複数のサブフレームがダウンリンクサブフレームであると決定するための手段をさらに備え、
前記第１のサブフレームは、フレームのサブフレーム６である、
請求項１０に記載のユーザ機器。
【請求項１４】
前記構成は、前記ＤＲＳの前記持続時間を備え、前記決定するための手段は、前記ＤＲＳの前記持続時間中の最後のサブフレームがアップリンクサブフレームであるかどうかを決定することと、前記最後のサブフレームがアップリンクフレームであると決定されたとき、前記ＤＲＳ構成が誤構成であると決定することとを行うようにさらに構成される、
請求項８に記載のユーザ機器。
【請求項１５】
コンピュータ上で実行されると、前記請求項１乃至７のいずれか１項に従う方法を実行するための命令を備える、コンピュータプログラム。
【発明の詳細な説明】
【関連出願の相互参照】
【０００１】
[0001]本出願は、それらの全体が参照により本明細書に明確に組み込まれる、２０１４年９月１９日に出願された「Determination of Subframe Type for DRS in Small Cells in LTE」と題する米国仮出願第６２／０５３，０７７号、および２０１５年９月４日に出願された「Determination of Subframe Type for Subframes Containing Discovery Signals」と題する米国特許出願第１４／８４６，４４７号の利益を主張する。
【技術分野】
【０００２】
[0002]本開示は、一般に通信システムに関し、より詳細には、ＬＴＥ（登録商標）におけるスモールセル中の発見基準信号（ＤＲＳ：discovery reference signal）のためのサブフレームタイプの決定に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]発見基準信号（ＤＲＳ）は、ユーザ機器（ＵＥ）がそれの周囲セルを発見するのに役立ち得る。たとえば、マクロエリアでは、スモールセルは、システム性能および帯域幅を高めるために展開され得る。ＵＥは、ネイバーセル（たとえば、スモールセル、フェムトセル、ピコセルなど）を発見するためにＤＲＳを使用し得る。ＤＲＳ検出は、負荷分散、スモールセルのオン／オフ動作を含む干渉協調、新しいセルの自律構成、モビリティ、ロバストネスなどを支援し得る。セル固有基準信号（ＣＲＳ：Cell-Specific Reference Signal）はＤＲＳオケージョン内で送信され得る。しかしながら、現在、ＵＥが、ネイバーセルによって送信されたサブフレームのタイプを決定する方法がない。送信されたサブフレームタイプを決定することは、たとえば、ＣＲＳベース測定を実施するために有益であり得る。
【０００６】
[0006]本明細書で提示する態様は、ＵＥがネイバーセルのためのサブフレームタイプを決定することを可能にすることによって、ネイバーセルについてのＣＲＳ測定を実施する際の効率を改善する。ＵＥは、キャリア周波数のためのＤＲＳオケージョンのための構成された数のサブフレーム、キャリア周波数のためのネイバーセル構成、サービングセルの時分割複信（ＴＤＤ）構成、セルのためのチャネル状態情報基準信号（ＣＳＩ−ＲＳ：Channel State Information-Reference Signal）構成、サービングセルのダウンリンクパイロットタイムスロット（ＤｗＰＴＳ）構成、またはキャリア周波数のためのセカンダリ同期信号サブフレームインデックスのうちの少なくとも１つを使用して、ネイバーセルのためのサブフレームタイプを決定する。ＵＥは、次いで、ネイバーセルについてのＣＲＳベース測定を実施するために、サブフレームタイプの決定を使用し得る。
【０００７】
[0007]本開示の一態様では、方法、コンピュータプログラム製品、および装置が提供される。本装置は、サービングセルのＴＤＤ構成およびマルチメディアブロードキャスト単一周波数ネットワーク（ＭＢＳＦＮ：Multimedia Broadcast Single Frequency Network）構成を決定し、１つまたは複数のネイバリングセルのＴＤＤ構成および構成のうちの少なくとも１つを示すネイバーセル構成情報を受信し、１つまたは複数のネイバリングセルのうちの少なくとも１つのためのＤＲＳの構成を受信し、その構成は、少なくともＤＲＳのための開始サブフレームインデックスとＤＲＳの持続時間とを含み、受信されたネイバーセル構成情報、サービングセルのＴＤＤ構成およびＭＢＳＦＮ構成、ＤＲＳのための開始サブフレームインデックス、ならびにＤＲＳの持続時間のうちの少なくとも１つに基づいて、１つまたは複数のネイバーセルのうちの少なくとも１つのためのＤＲＳの持続時間の１つまたは複数のサブフレーム中にＣＲＳが存在するかどうかを決定する。
【図面の簡単な説明】
【０００８】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】例示的なスモールセル展開構成を示す図。
【図８】例示的なスモールセル展開構成を示す図。
【図９】例示的なスモールセル展開構成を示す図。
【図１０】例示的なスモールセル展開構成を示す図。
【図１１】ＴＤＤフレーム構造のためのサブフレーム構成を示す図１１００。
【図１２】ＬＴＥフレーム構造を示す図１２００。
【図１３Ａ】ワイヤレス通信の方法のフローチャート。
【図１３Ｂ】ワイヤレス通信の方法のフローチャート。
【図１４】例示的な装置中の異なる手段／構成要素間のデータフローを示す概念データフロー図。
【図１５】処理システムを採用する装置のためのハードウェア実装形態の一例を示す図。
【発明を実施するための形態】
【０００９】
[0023]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１０】
[0024]次に、様々な装置および方法に関して電気通信システムのいくつかの態様を提示する。これらの装置および方法を、（「要素」と総称される）様々なブロック、構成要素、回路、ステップ、プロセス、アルゴリズムなどによって、以下の発明を実施するための形態において説明し、添付の図面に示す。これらの要素は、電子ハードウェア、コンピュータソフトウェア、またはそれらの任意の組合せを使用して実装され得る。そのような要素がハードウェアとして実装されるのか、ソフトウェアとして実装されるのかは、特定の適用例および全体的なシステムに課される設計制約に依存する。
【００１１】
[0025]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0026]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１３】
[0027]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１４】
[0028]Ｅ−ＵＴＲＡＮは、発展型ノードＢ（ｅＮＢ）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１５】
[0029]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８およびＢＭ−ＳＣ１２６はＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始
／停止）と、ｅＭＢＭＳ関係の課金情報を収集することとを担当し得る。
【００１６】
[0030]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことがある。さらに、「ｅＮＢ」、「基地局」、および「セル」という用語は、本明細書では互換的に使用されることがある。
【００１７】
[0031]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００１８】
[0032]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１９】
[0033]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２０】
[0034]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２１】
[0035]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のうちのいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２２】
[0036]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２３】
[0037]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２４】
[0038]初期システムアクセスを実施し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２５】
[0039]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２６】
[0040]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２７】
[0041]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２８】
[0042]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２９】
[0043]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３０】
[0044]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３１】
[0045]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実施し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３２】
[0046]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、暗号解読（decipher）と、ヘッダ解凍（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３３】
[0047]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００３４】
[0048]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３５】
[0049]ＵＬ送信は、ＵＥ６５０における受信機機能に関して説明した方法と同様の方法でｅＮＢ６１０において処理される。各受信機６１８ＲＸが、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００３６】
[0050]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、暗号解読と、ヘッダ解凍と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００３７】
[0051]スモールセル緻密化（たとえば、マクロエリア内の近接したスモールセルの数を増加させること）は、モバイル通信ネットワークにおいて性能を高めるために実装され得る。スモールセルの管理を可能にするために、スモールセルは、ＵＥがそれの周囲スモールセルを発見することを可能にする、発見基準信号（ＤＲＳ）を送信するように構成され得る。ＤＲＳの使用は、（オン／オフ動作を含む）負荷分散および干渉協調、新しいスモールセルの自律構成、モビリティロバストネスなどを達成するのを助け得る。
【００３８】
[0052]図７は、例示的なスモールセル展開構成を示す図７００である。図７は、マクロセル７０２およびスモールセル７０４の屋外展開を示している。図７に示されているように、スモールセル７０４は、バックホールリンク７０８および７１０を通して互いに結合される。図７にさらに示されているように、スモールセル７０４は、バックホールリンク７０６を通して（thorough）マクロセル７０２に結合される。図７の構成では、マクロセル７０２とスモールセル７０４とは周波数帯域（たとえば、周波数帯域Ｆ１）を共有する。
【００３９】
[0053]図８は、例示的なスモールセル展開構成を示す図８００である。図８は、マクロセル８０２およびスモールセル８０４の屋外展開を示している。マクロセル８０２およびスモールセル８０４は、重複する地理的カバレージを有し得る。図８に示されているように、スモールセル８０４は、バックホールリンク８０８および８１０を通して互いに結合される。図８にさらに示されているように、スモールセル８０４は、周到なバックホールリンク８０６マクロセル８０２に結合される。図８の構成では、マクロセル８０２は第１の周波数帯域（たとえば、周波数帯域Ｆ１）を使用し、スモールセル８０４は、第１の周波数帯域とは異なる第２の周波数帯域（たとえば、周波数帯域Ｆ２）を使用する。
【００４０】
[0054]図９は、例示的なスモールセル展開構成を示す図９００である。図９は、屋外に展開されるマクロセル９０２と、屋内に展開されるスモールセル９０４とを示している。図９に示されているように、スモールセル９０４は、バックホールリンク９０８および９１０を通して互いに結合される。図９にさらに示されているように、スモールセル９０４は、周到なバックホールリンク９０６マクロセル９０２に結合される。図９の構成では、マクロセル９０２は第１の周波数帯域（たとえば、周波数帯域Ｆ１）を使用し、スモールセル９０４は、第１の周波数帯域とは異なる第２の周波数帯域（たとえば、周波数帯域Ｆ２）を使用する。
【００４１】
[0055]図１０は、例示的なスモールセル展開構成を示す図１０００である。図１０は、屋内に展開されるスモールセル１００２を示している。図１０に示されているように、スモールセル１００２は、バックホールリンク１００４および１００６を通して互いに結合される。図１０の構成では、スモールセル１００２は、第１の周波数帯域（たとえば、周波数帯域Ｆ１）または第２の周波数帯域（たとえば、周波数帯域Ｆ２）のいずれかを使用する。図７〜図１０の構成では、ユーザは、屋外展開と屋内展開のどちらの場合にも分散していることがある。
【００４２】
[0056]図１１は、ＴＤＤフレーム構造のためのサブフレーム構成を示す図１１００である。上記で説明したように、ＦＤＤに加えて、ＬＴＥではＴＤＤフレーム構造がサポートされる。ＴＤＤフレーム構造は、７つの可能なサブフレーム構成（たとえば、ＵＬ−ＤＬサブフレーム構成０〜６）をサポートし得る。サブフレーム構成は、２つの可能な切替え周期性（たとえば、５ｍｓおよび１０ｍｓ）のうちの１つを有する。図１１に示されているように、５ｍｓ切替え周期性をもつサブフレーム構成は、フレームごとに（たとえば、図１１に「Ｓ」として示された）２つのスペシャルサブフレームを含み、１０ｍｓ切替え周期性をもつサブフレーム構成は、フレームごとに１つのスペシャルサブフレームを含む。
【００４３】
[0057]図１２は、本開示の様々な態様による、ＬＴＥフレーム構造を示す図１２００である。図１２に示されているように、１つの無線フレームは、１０個のサブフレーム（たとえば、サブフレーム０〜サブフレーム９）を含むように構成され得る。図１２にさらに示されているように、各サブフレームは２つのスロットを含み得る。一態様では、図１２中の無線フレームは、図１１に関して前に説明した７つのサブフレーム構成（たとえば、ＵＬ−ＤＬ構成０〜６）からのサブフレーム構成を用いて構成され得る。たとえば、図１２中の無線フレームが図１１中のサブフレーム構成３を用いて構成された場合、サブフレーム０および５〜９はＤＬサブフレームとして構成され得、サブフレーム２〜４はＵＬサブフレームとして構成され得、サブフレーム１はスペシャルサブフレームとして構成され得る。
【００４４】
[0058]ＤＲＳは、ダウンリンクサブフレーム、またはスペシャルサブフレームのダウンリンクパイロットタイムスロット（ＤｗＰＴＳ）領域中でのみ送信され得る。セルのためのＤＲＳオケージョンはＮ個の連続するサブフレームを含み得、ＤＲＳオケージョンの持続時間は、１つの周波数上のすべてのセルについて同じであり得る。ＦＤＤフレームでは、ＤＲＳオケージョンの持続時間は、１〜５つのサブフレームの範囲内にあり得、周波数ごとにＵＥにシグナリングされ得る。ＴＤＤフレームでは、ＤＲＳオケージョンの持続時間は、２〜５つのサブフレームの範囲内にあり得、周波数ごとにＵＥにシグナリングされ得る。セカンダリ同期信号（ＳＳＳ：secondary synchronization signal）はＤＲＳオケージョンの第１のサブフレーム中で発生し得る。たとえば、セルのためのＤＲＳオケージョン（たとえば、ＤＲＳ送信）はＭｍｓ（たとえば、Ｍ＝４０、８０、１６０など）ごとに発生し得る。
【００４５】
[0059]ＵＥは、ＤＲＳ中のプライマリ同期信号（ＰＳＳ：primary synchronization signal）、ＳＳＳ、および／またはＣＲＳの存在を仮定し得る。ＣＲＳは、少なくともＰＳＳ／ＳＳＳと同じ（１つまたは複数の）サブフレーム中で送信される。ＵＥは、異なるセルＩＤをもつＣＲＳのリストを示され得る。したがって、異なるセルＩＤをもつＣＲＳのリストはＵＥにシグナリングされ得る。チャネル状態情報基準信号（ＣＳＩ−ＲＳ）は、上位レイヤによって構成された場合、測定のためにＤＲＳ中に存在すると仮定される。ＤＲＳオケージョンは、ＣＲＳに関連する複数のＣＳＩ−ＲＳ  ＲＥ構成を含み得る。異なるＣＳＩ−ＲＳ構成は、同じサブフレーム、（１つまたは複数の）異なるサブフレーム中にあり得るか、または独立してスクランブルされ得る。
【００４６】
[0060]ＵＥは、ＵＥがＤＲＳをそれについて測定するように構成されたすべての周波数にわたって少なくとも４つまでの異なるＤＲＳ測定タイミング構成（ＤＭＴＣ：DRS measurement timing configuration）を用いて構成され得る。（周波数のための）ＤＭＴＣのシグナリングはＤＭＴＣ周期性とオフセットとを含む。ＵＥが複数のＤＭＴＣを用いて構成された場合、すべてのＤＭＴＣは、周波数間測定について同じ期間を用いて構成され得る。ＤＭＴＣは複数のキャリアに共通であり得る。ＵＥが測定ギャップを用いて構成され、周波数内および周波数間測定のためにＤＲＳを測定するように構成された場合、異なるオフセットをもつ少なくとも２つのＤＭＴＣが構成され得る。いずれのキャリア周波数上でも、ＵＥは、（ＤＲＳを送信する）すべてのセル／ＴＰが、ＤＭＴＣによって示されたあらゆる測定機会においてＤＲＳを送信することを予想し得る。
【００４７】
[0061]ＤＭＴＣに加えて、最大許容測定帯域幅（たとえば、６、１５、２５、５０、７５、１００ＲＢ）、またはネイバーセルのＭＢＳＦＮサブフレーム構成およびＴＤＤ  ＵＬ−ＤＬサブフレーム構成など、既存のシグナリング技法が再利用され得る。
【００４８】
[0062]一態様では、（ＮｅｉｇｈＣｅｌｌＣｏｎｆｉｇフィールドまたはＮｅｉｇｈＣｅｌｌＣｏｎｆｉｇ値とも呼ばれる）ネイバーセル構成は、ある周波数のネイバーセルのＭＢＳＦＮおよびＴＤＤ  ＵＬ／ＤＬサブフレーム構成に関係する情報を与える２ビット値を備え得る。たとえば、ネイバーセル構成の値「００」は、すべてのネイバーセルが、構成された場合、その周波数上のサービングセルと、他の場合、ＰＣｅｌｌと同じＭＢＳＦＮサブフレーム割振りを有するとは限らないことを示し得、値「０１」は、ＭＢＳＦＮサブフレームがすべてのネイバーセル中に存在しないことを示し得、値「１０」は、すべてのネイバーセルのＭＢＳＦＮサブフレーム割振りが、構成された場合、その周波数上のサービングセルのそれと、他の場合、ＰＣｅｌｌ中のそれと同等またはそれのサブセットであることを示し得、値「１１」は、構成された場合、その周波数上のサービングセルと比較して、他の場合、ＰＣｅｌｌと比較して、ＴＤＤのためのネイバリングセルにおける異なるＵＬ／ＤＬ割振りを示し得る。ＴＤＤでは、値「００」、「１０」、および「０１」は、構成された場合、その周波数上のサービングセルと比較して、他の場合、ＰＣｅｌｌと比較して、ネイバリングセルにおける同じＵＬ／ＤＬ割振りのためにのみ使用される。
【００４９】
[0063]Ｐｃｅｌｌのための制限付き無線リソース管理（ＲＲＭ）測定構成が、ＤＲＳに関する測定とともに構成され得る。ＵＥが、ある周波数のためにＤＭＴＣと既存の制限付きＲＲＭ測定構成とを用いて構成された場合、ＵＥは、制限付きＲＲＭ測定構成によって示されたサブフレーム中のＤＲＳを測定し得る。
【００５０】
[0064]ＤＲＳベース測定では、ＵＥは、ＭＢＳＦＮサブフレーム中のＣＲＳ送信を仮定するように構成され得る。しかしながら、ＭＢＳＦＮ構成に関連する追加のシグナリングがないことがある。ＣＲＳベースＲＳＲＰ（発見ＲＳＲＰまたはＤＲＳＲＰ）測定と（構成された場合）ＣＳＩ−ＲＳベースＲＳＲＰ測定の両方がサポートされ得る。ＣＲＳベース測定では、ＵＥは、ポート０ＣＲＳがＤＲＳ中で送信されると仮定し得る。ＣＲＳベースＲＳＲＱ測定がサポートされ得るが、ＣＳＩ−ＲＳベースＲＳＲＱ測定は指定されないことがある。ＤＲＳベースＲＳＳＩ測定では、ＤＲＳオケージョン内の測定サブフレームのＤＬ部分中のすべてのＯＦＤＭシンボルにわたって発見ＲＳＳＩ（ＤＲＳＳＩ）が測定される。ＤＲＳベースＲＳＲＱ測定では、ＤＲＳＲＱ＝Ｎ×ＤＲＳＲＰ／ＤＲＳＳＩであり、ただし、ＮはＤＲＳＳＩ測定帯域幅のＲＢの数である。
【００５１】
[0065]ＤＲＳオケージョン内で、ＵＥは、ＣＲＳベース測定のために、サブフレームが通常ＤＬサブフレーム（すなわち、非ＭＢＳＦＮダウンリンクサブフレーム）であるのか、ＭＢＳＦＮサブフレームであるのか、スペシャルサブフレームであるのか、ＵＬサブフレームであるのかを決定することが困難であり得る。従来の２ビットＮｅｉｇｈＣｅｌｌＣｏｎｆｉｇシグナリングは、ＮｅｉｇｈＣｅｌｌＣｏｎｆｉｇが値「１１」に設定されたとき、ネイバリングセル中のサブフレームがＤＬサブフレームであるのかＵＬサブフレームであるのかを明示的に示さない。
【００５２】
[0066]たとえば、値「１１」は、ネイバリングセルの実際の構成を示すことなしに、単に、ネイバーセルが異なるＴＤＤ  ＤＬ／ＵＬサブフレーム構成であることを示す。さらに、従来の２ビットシグナリングは、ＮｅｉｇｈＣｅｌｌＣｏｎｆｉｇが値「００」、「０１」、または「１１」に設定されたとき、ネイバリングセル中のサブフレームがＭＢＳＦＮサブフレームであるか否かを明示的に示さない。たとえば、値「００」は、単に、ネイバリングセルがサービングセルとは異なる構成を有することを示し、値「０１」は、ネイバリングセルが依然としてサービングセルとしてＭＢＳＦＮサブフレームのサブセットを有し得ることを示し、値「１１」は、（ＴＤＤ構成がすでに異なり得るので）ネイバリングセルのＭＢＳＦＮ構成を指定しない。ネイバリングセルのスペシャルサブフレーム構成のインジケーションがＵＥに与えられないことに留意されたい。スペシャルサブフレーム構成は、異なるＤｗＰＴＳシンボルを有し、したがって、ＣＲＳシンボルの異なる存在を有し得る。その上、ＤＲＳ中のサブフレーム方向（たとえば、ＵＬまたはＤＬまたはスペシャルサブフレーム）とＣＳＩ−ＲＳ構成との間には関係がない。
【００５３】
[0067]一態様では、ＵＥは、キャリア周波数のためのＤＲＳオケージョンのために構成されたＮ個のサブフレーム（たとえば、ただしＮ＝２、３、４、５）、キャリア周波数のための示されたＮｅｉｇｈＣｅｌｌＣｏｎｆｉｇ、サービングセルのＴＤＤ構成、セルのためのＣＳＩ−ＲＳ構成、サービングセルのＤｗＰＴＳ構成、および／またはキャリア周波数のためのＳＳＳサブフレームインデックスに基づいて、サブフレームがＤＬサブフレーム、ＤｗＰＴＳを含むサブフレーム、またはＭＢＳＦＮサブフレームのいずれかであると仮定するように構成され得る。ＳＳＳはＤＲＳオケージョン中の第１のサブフレームであるので、ＳＳＳサブフレームインデックスは０または５のいずれかであり得る。たとえば、サブフレームインデックスは、ＳＳＳを含むサブフレーム（たとえば、フレーム中のサブフレーム０またはサブフレーム５）を表し得る。
【００５４】
[0068]キャリア周波数について、ＵＥは、すべてのセルに共通の、そのキャリア周波数のための値Ｎを示され得る。ＵＥは、ＣＲＳのリストと、構成された場合、ＣＳＩ−ＲＳ構成のリストとを示され得る。各ＣＳＩ−ＲＳはＣＲＳリスト中のＣＲＳに関連し得る。たとえば、ＣＲＳ構成は１つまたは複数のＣＳＲ−ＲＳ構成に関連し得、ＣＳＩ−ＲＳ構成は特定のＣＲＳ構成に固有であり得る。
【００５５】
[0069]次に、ネイバーセルのためのＤＲＳ持続時間の１つまたは複数のサブフレーム中にＣＲＳが存在するかどうかに関する例示的なＵＥ決定について説明する。１つまたは複数のサブフレーム中のＣＲＳの存在を決定することによって、ＵＥは、それらの１つまたは複数のサブフレーム中のネイバーセルのＣＲＳベース測定を実施し得る。本例では、Ｎ＝３であり、ＤＲＳオケージョンはサブフレーム０において開始する。図１１を参照すると、すべてのＴＤＤ構成では、最初の３つのサブフレーム（たとえば、サブフレーム０、１、および２）は、それぞれＤ、Ｓ、およびＵである。したがって、ＵＥは、ＮｅｉｇｈＣｅｌｌＣｏｎｆｉｇの２ビット値にかかわらず、最初の３つのサブフレームがＤ、Ｓ、およびＵであると仮定し得る。ＵＥはまた、３つのサブフレームのうちの最後のサブフレーム（たとえば、サブフレーム３）が、測定のために使用され得ないＵであるので、このシナリオを誤構成と見なし得る。スペシャルサブフレームＳ（たとえば、サブフレーム１）について、ＵＥ実装形態に応じて、ＵＥは、サブフレーム１が、サービングセルと同じスペシャルサブフレーム構成、または最短ＤｗＰＴＳ長さをもつ構成であると仮定し得る。
【００５６】
[0070]ＵＥは、Ｕサブフレーム（たとえば、サブフレーム２）中でＣＳＩ−ＲＳ構成を予想しないように構成され得る。一態様では、ＣＳＩ−ＲＳはスペシャルサブフレーム中で構成されないことがある。別の態様では、ＣＳＩ−ＲＳはスペシャルサブフレーム中で可能にされ得る。そのような態様では、ＵＥは、最短ＤｗＰＴＳ長さを仮定する代わりに、ＣＳＩ−ＲＳ構成に基づいてスペシャルサブフレーム中のＤｗＰＴＳ長さを仮定し得る。たとえば、ＣＳＩ−ＲＳ構成が、スペシャルサブフレームＳの第２のスロットのシンボル２および３中にＣＳＩ−ＲＳが存在するようなＣＳＩ−ＲＳ構成である場合、ＵＥは、第１のスロットのシンボル０／１および第２のスロットのシンボル０／１中にＣＲＳが存在すること（したがって、ＤｗＰＴＳ中の４つのＣＲＳシンボル）を仮定し得る。代替的に述べると、最後のＣＳＩ−ＲＳシンボルは、ＣＲＳシンボル存在を決定するための下限を決定するために使用され得る。
【００５７】
[0071]次に、ネイバーセルのためのＤＲＳ持続時間の１つまたは複数のサブフレーム中にＣＲＳが存在するかどうかに関する別の例示的なＵＥ決定について説明する。本例では、Ｎ＝３であり、ＤＲＳオケージョンはサブフレーム５において開始する。図１１を参照すると、既存のＴＤＤ構成に基づいて、３つのサブフレーム（たとえば、サブフレーム５、６、および７）は、それぞれＤ、Ｓ、およびＵであるか、またはそれぞれＤ、Ｄ、およびＤであり得る。したがって、ＵＥは、ＮｅｉｇｈＣｅｌｌＣｏｎｆｉｇと、サービングセルのサブフレーム６のタイプ（たとえば、ＳまたはＤ）と、サービングセルのサブフレーム７のタイプ（たとえば、非ＭＢＳＦＮまたはＭＢＳＦＮまたはＵ）とに基づいてネイバーセルのサブフレーム６および７のためのサブフレームタイプを決定し得る。ＵＥは、ＮｅｉｇｈＣｅｌｌＣｏｎｆｉｇにかかわらず、サブフレーム５のサブフレームタイプをＤであるものと仮定し得ることに留意されたい。これは、ＭＢＳＦＮサブフレームが、ＴＤＤシステムではサブフレーム０、１、５、および６中で構成され得ることを仮定している。以下の表１は、（たとえば、左端の列に）ＮｅｉｇｈＣｅｌｌＣｏｎｆｉｇの可能な２ビット値を示し、（たとえば、右端の列に）サブフレーム５、６、および７についてＵＥによって仮定される対応するサブフレームタイプを示している。  
[0072]  
【００５８】
【表１】
0006700257.tif 000002
【００５９】
[0073]ＵＥは、さらに、ＤＲＳオケージョン中のサブフレームが、少なくともネイバーセルのためのＣＳＩ−ＲＳ構成を含んでいるか否かに基づいて、ネイバーセルのサブフレームのタイプを決定し得る。ＣＳＩ−ＲＳ構成がネイバーセルのためのサブフレーム中にある場合、サブフレームのタイプは、ＵＬサブフレームではなく、ネイバーセルのためのＤＬサブフレームまたはＭＢＳＦＮサブフレームであると決定され得る。たとえば、サブフレーム７中にＣＳＩ−ＲＳ構成がないネイバーセルの場合、上記の表１が適用され得る。
【００６０】
[0074]しかしながら、サブフレーム７中にＣＳＩ−ＲＳ構成があるセルでは、サブフレーム７のサブフレームタイプは、以下の表２に示すように、ＤＬサブフレーム（たとえば、ＮｅｉｇｈＣｅｌｌＣｏｎｆｉｇに応じてＭＢＳＦＮサブフレームまたは非ＭＢＳＦＮサブフレーム）であり得る。
【００６１】
[0075]表２は、（たとえば、左端の列に）ＮｅｉｇｈＣｅｌｌＣｏｎｆｉｇの可能な２ビット値を示し、（たとえば、右端の列に）サブフレーム５、６、および７についてＵＥによって仮定される対応するサブフレームタイプを示している。
【００６２】
[0076]ＮｅｉｇｈＣｅｌｌＣｏｎｆｉｇが１１であるとき、ネイバリングセルは、サービングセルと比較して異なるＴＤＤサブフレーム構成を有し得る。その結果、ネイバリングセル中のサブフレーム６はスペシャルサブフレームまたは通常ダウンリンクサブフレームであり得るが、サブフレーム７は通常ダウンリンクまたはアップリンクサブフレームであり得る。他の情報なしに、ＵＥは、ＣＲＳ存在を決定する際に、サブフレーム５、６、および７についてＤＳＭ構成のみを仮定し得る。これは、表２ではアスタリスクで示されている。
【００６３】
[0077]しかしながら、一態様では、ＣＳＩ−ＲＳ構成がスペシャルサブフレーム中で可能にされず、ＵＥがサブフレーム６中のＣＳＩ−ＲＳを用いて構成される場合、ＣＳＩ−ＲＳ構成により、サブフレーム６が通常ＤＬサブフレームでなければならないので、ＵＥは、サブフレーム５、６、および７は、それぞれＤ、Ｄ、およびＭであると仮定し得る。別の態様では、ＣＳＩ−ＲＳ構成がスペシャルサブフレーム中で可能にされ、ＣＳＩ−ＲＳがサブフレーム６中で構成される場合、ＣＲＳシンボルの数は、セルのための最後のＣＳＩ−ＲＳシンボルに基づいて決定され得る。たとえば、ＣＳＩ−ＲＳ構成は、非ゼロ電力ＣＳＩ−ＲＳ、ゼロ電力ＣＳＩ−ＲＳ、またはそれらの組合せであり得る。  
[0078]  
【００６４】
【表２】
0006700257.tif 000003
【００６５】
[0079]上記で説明した態様は、ＤＲＳ測定性能を改善するのを助け得るが、複雑さの増加という犠牲を払うことになる。そのような複雑さを低減するために、ＤＲＳオケージョンがサブフレーム０において開始する構成はサポートされないことがあり、ネイバリングセルがサービングセルと同じＴＤＤ構成を有するとき、最後のサブフレームをＵＬサブフレームとしてもつ構成はサポートされないことがあり、ＵＥは、１つのＣＲＳシンボルのみをもつ特殊構成を常に仮定するように構成され得、および／または、ＣＳＩ−ＲＳはスペシャルサブフレーム中でサポートされないことがある。
【００６６】
[0080]図１３Ａおよび図１３Ｂは、ワイヤレス通信の方法のフローチャート１３００である。本方法は、ＵＥ（たとえば、ＵＥ１０２、装置１４０２／１４０２’）によって実施され得る。点線で示されているステップは随意のステップを表すことを理解されたい。
【００６７】
[0081]ステップ１３０２において、ＵＥは、サービングセルのＴＤＤ構成およびＭＢＳＦＮ構成を決定する。一態様では、サービングセルのそのような構成は、サービングセルからＵＥにシグナリングされ得るか、または事前構成され、ＵＥに記憶され得る。
【００６８】
[0082]ステップ１３０４において、ＵＥは、１つまたは複数のネイバリングセルのＴＤＤ構成および／またはＭＢＳＦＮ構成を示すネイバーセル構成情報を受信する。
【００６９】
[0083]ステップ１３０６において、ＵＥは、１つまたは複数のネイバリングセルのうちの少なくとも１つのためのＤＲＳの構成を受信する。その構成は、少なくともＤＲＳのための開始サブフレームインデックスを含み得る。ＤＲＳのための開始サブフレームインデックスに加えて、その構成はＤＲＳの持続時間をも含み得る。たとえば、キャリア周波数について、ＵＥは、複数のセルに共通の、Ｎ個のサブフレームを示すＤＲＳ持続時間値を受信し得る。一態様では、ＤＲＳの受信された構成は、１つまたは複数のネイバーセルのうちの少なくとも１つのためのＣＳＩ−ＲＳ構成の少なくとも１つをさらに含み得る。一態様では、ＣＳＩ−ＲＳは、非ゼロ電力ＣＳＩ−ＲＳまたはゼロ電力ＣＳＩ−ＲＳのうちの少なくとも１つである。一態様では、ＣＳＩ−ＲＳは、スペシャルサブフレーム中に存在することを禁止される。
【００７０】
[0084]ステップ１３０８において、ＵＥは、ＤＲＳ持続時間中の最後のサブフレームがアップリンクサブフレームであるかどうかを決定するか、またはＤＲＳの開始サブフレームインデックスがフレームのサブフレーム０であるかどうかを識別する。ＤＲＳ持続時間中の最後のサブフレームがアップリンクサブフレームであるか、またはＤＲＳの開始サブフレームインデックスがサブフレーム０である場合、ステップ１３１０において、ＵＥは、ＤＲＳ構成が誤構成であると決定する。
【００７１】
[0085]ＤＲＳ持続時間中の最後のサブフレームがアップリンクサブフレームでない場合（ステップ１３０８）、（図１３Ｂ中の）ステップ１３１２において、ＵＥは、ＣＳＩ−ＲＳが、１つまたは複数のサブフレームのうちの少なくとも１つ中に存在するように構成されると決定する。ステップ１３１４において、ＵＥは、第１のサブフレームの後の１つまたは複数のサブフレームがダウンリンクサブフレームであると決定する。一態様では、第１のサブフレームはフレームのサブフレーム６である。
【００７２】
[0086]代替的に、ＤＲＳ持続時間中の最後のサブフレームがアップリンクサブフレームでない場合（ステップ１３０８）、ステップ１３１６において、ＵＥは、１つまたは複数のサブフレーム中のスペシャルサブフレームを決定する。次いで、ステップ１３１８において、ＵＥは、ＣＳＩ−ＲＳがスペシャルサブフレーム中に存在するように構成されると決定する。一態様では、スペシャルサブフレーム中にＣＲＳが存在するかどうかに関する決定は、スペシャルサブフレーム中のＣＳＩ−ＲＳを含んでいる最後のシンボルに基づき得る。
【００７３】
[0087]ステップ１３２０において、ＵＥは、受信されたネイバーセル構成情報、サービングセルのＴＤＤ構成およびＭＢＳＦＮ構成、ＤＲＳのための開始サブフレームインデックス、ならびに／またはＤＲＳの持続時間に基づいて、１つまたは複数のネイバーセルのうちの少なくとも１つのためのＤＲＳの持続時間の１つまたは複数のサブフレーム中にＣＲＳが存在するかどうかを決定する。一態様では、ＣＳＩ−ＲＳが、１つまたは複数のサブフレームのうちの少なくとも１つ中に存在するように構成されるとき、ＵＥは、１つまたは複数のサブフレームのうちの少なくとも１つ中にＣＲＳが存在すると決定する。別の態様では、ＣＲＳが存在するかどうかに関する決定は、ＣＳＩ−ＲＳ構成中の少なくとも１つのＣＳＩ−ＲＳが１つまたは複数のネイバーセルのうちの少なくとも１つに関連する、ＣＳＩ−ＲＳ構成にさらに基づく。
【００７４】
[0088]最終的に、ステップ１３２２において、ＵＥは、１つまたは複数のサブフレーム中のＣＲＳの決定された存在に基づいて、１つまたは複数のネイバーセルのうちの少なくとも１つを測定する。したがって、ＵＥが、ネイバーセルのＤＲＳのサブフレームのうちの少なくとも１つ中にＣＲＳが存在すると決定したとき、ＵＥは、ネイバーセルについてのＣＲＳベース測定を実施する。
【００７５】
[0089]図１３Ａおよび図１３Ｂに提示した態様は、ＵＥが、たとえば、ネイバーセルのためのＤＲＳ構成、ネイバーセル構成情報、ＴＤＤまたは構成などのサービングセルについての情報、セルのためのＣＳＩ−ＲＳ構成、および／あるいはキャリア周波数のためのＳＳＳサブフレームインデックスを使用して、ネイバーセルのためのＤＲＳ中にＣＲＳが存在するかどうかを決定することを可能にすることによって、ネイバーセルについてのＣＲＳベース測定を実施する際のＵＥの能力を改善する。
【００７６】
[0090]図１４は、例示的な装置１４０２中の異なる手段／構成要素間のデータフローを示す概念データフロー図１４００である。本装置はＵＥであり得る。本装置は、１つまたは複数のネイバリングセル（たとえば、ネイバー基地局１４６０）のＴＤＤ構成およびＭＢＳＦＮ構成のうちの少なくとも１つを示すネイバーセル構成情報を受信し、１つまたは複数のネイバリングセルのうちの少なくとも１つのためのＤＲＳの構成をさらに受信する受信構成要素１４０４を含み、ここで、その構成は、少なくともＤＲＳのための開始サブフレームインデックスとＤＲＳの持続時間とを含む。本装置は、決定構成要素１４０６をさらに含む。受信構成要素１４０４は、受信された構成情報１４１２（たとえば、ネイバーセル構成情報および／またはＤＲＳ構成）を決定構成要素１４０６に与え得る。決定構成要素１４０６。たとえば、決定構成要素は、サービングセル（たとえば、サービング基地局１４５０）のＴＤＤ構成およびＭＢＳＦＮ構成を決定し得る。決定構成要素はまた、たとえば、サービングセルのためのＴＤＤ構成およびＭＢＳＦＮ構成と、受信構成要素１４０４において受信されたネイバーセルについての情報とを使用して、ＤＲＳ持続時間中の最後のサブフレームがアップリンクサブフレームであるかどうかを決定するために決定し、ＤＲＳ持続時間中の最後のサブフレームがアップリンクサブフレームであるとき、またはＤＲＳの開始サブフレームインデックスがフレームのサブフレーム０であるとき、ＤＲＳ構成が誤構成であると決定し、ＣＳＩ−ＲＳが、１つまたは複数のサブフレームのうちの少なくとも１つ中に存在するように構成されると決定し、１つまたは複数のサブフレーム中のスペシャルサブフレームを決定し、ＣＳＩ−ＲＳがスペシャルサブフレーム中に存在するように構成されると決定し、第１のサブフレームの後の１つまたは複数のサブフレームがダウンリンクサブフレームであると決定し、受信されたネイバーセル構成情報、サービングセルのＴＤＤ構成およびＭＢＳＦＮ構成、ＤＲＳのための開始サブフレームインデックス、およびＤＲＳの持続時間のうちの少なくとも１つに基づいて、１つまたは複数のネイバーセルのうちの少なくとも１つのためのＤＲＳの持続時間の１つまたは複数のサブフレーム中にＣＲＳが存在するかどうかを決定し得る。本装置は、決定構成要素１４０６の決定１４１８のうちの１つまたは複数を受信し、１つまたは複数のサブフレーム中のＣＲＳの決定された存在に基づいて、１つまたは複数のネイバーセルのうちの少なくとも１つのダウンリンク信号１４１６を測定する、測定構成要素１４０８をさらに含む。本装置は、ネイバーセルの測定値１４２０に基づいて、サービング基地局１４５０にアップリンク信号を送信する、送信構成要素１４１０をさらに含む。
【００７７】
[0091]本装置は、図１３Ａおよび図１３Ｂの上述のフローチャート中のアルゴリズムのステップの各々を実施する追加の構成要素を含み得る。したがって、図１３Ａおよび図１３Ｂの上述のフローチャート中の各ステップは１つの構成要素によって実施され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００７８】
[0092]図１５は、処理システム１５１４を採用する装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェア構成要素と、構成要素１４０４、１４０６、１４０８、および１４１０と、コンピュータ可読媒体／メモリ１５０６とを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【００７９】
[0093]処理システム１５１４はトランシーバ１５１０に結合され得る。トランシーバ１５１０は１つまたは複数のアンテナ１５２０に結合される。トランシーバ１５１０は、伝送媒体を介して様々な他の装置と通信するための手段を与える。トランシーバ１５１０は、１つまたは複数のアンテナ１５２０から信号を受信し、受信された信号から情報を抽出し、抽出された情報を処理システム１５１４、特に受信構成要素１４０４に与える。さらに、トランシーバ１５１０は、処理システム１５１４、特に送信構成要素１４１０から情報を受信し、受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む一般的な処理を担当する。ソフトウェアは、プロセッサ１５０４によって実行されたとき、処理システム１５１４に、特定の装置のための上記で説明した様々な機能を実施させる。コンピュータ可読媒体／メモリ１５０６はまた、ソフトウェアを実行するときにプロセッサ１５０４によって操作されるデータを記憶するために使用され得る。処理システムは、構成要素１４０４、１４０６、１４０８、および１４１０のうちの少なくとも１つをさらに含む。構成要素は、コンピュータ可読媒体／メモリ１５０６中に常駐する／記憶された、プロセッサ１５０４中で動作するソフトウェア構成要素であるか、プロセッサ１５０４に結合された１つまたは複数のハードウェア構成要素であるか、またはそれらの何らかの組合せであり得る。処理システム１５１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００８０】
[0094]一構成では、ワイヤレス通信のための装置１４０２／１４０２’は、サービングセルのＴＤＤ構成およびＭＢＳＦＮ構成を決定するための手段と、１つまたは複数のネイバリングセルのＴＤＤ構成およびＭＢＳＦＮ構成のうちの少なくとも１つを示すネイバーセル構成情報を受信するための手段と、１つまたは複数のネイバリングセルのうちの少なくとも１つのためのＤＲＳの構成を受信するための手段と、ここにおいて、その構成が、少なくともＤＲＳのための開始サブフレームインデックスとＤＲＳの持続時間とを備える、受信されたネイバーセル構成情報、サービングセルのＴＤＤ構成およびＭＢＳＦＮ構成、ＤＲＳのための開始サブフレームインデックス、およびＤＲＳの持続時間のうちの少なくとも１つに基づいて、１つまたは複数のネイバーセルのうちの少なくとも１つのためのＤＲＳの持続時間の１つまたは複数のサブフレーム中にＣＲＳが存在するかどうかを決定するための手段と、１つまたは複数のサブフレーム中のＣＲＳの決定された存在に基づいて、１つまたは複数のネイバーセルのうちの少なくとも１つを測定するための手段と、ＣＳＩ−ＲＳが、１つまたは複数のサブフレームのうちの少なくとも１つ中に存在するように構成されると決定するための手段と、１つまたは複数のサブフレーム中のスペシャルサブフレームを決定するための手段と、ＣＳＩ−ＲＳがスペシャルサブフレーム中に存在するように構成されると決定するための手段と、第１のサブフレームの後の１つまたは複数のサブフレームがダウンリンクサブフレームであると決定するための手段と、ＤＲＳ持続時間中の最後のサブフレームがアップリンクサブフレームであるかどうかを決定するための手段と、ＤＲＳの開始サブフレームインデックスがフレームのサブフレーム０であるかどうかを識別するための手段と、最後のサブフレームがアップリンクフレームであると決定されたとき、またはＤＲＳの開始サブフレームインデックスがフレームのサブフレーム０として識別されたとき、ＤＲＳ構成が誤構成であると決定するための手段とを含む。上述の手段は、上述の手段によって具陳された機能を実施するように構成された、装置１４０２、および／または装置１４０２’の処理システム１５１４の上述の構成要素のうちの１つまたは複数であり得る。上記で説明したように、処理システム１５１４は、ＴＸプロセッサ６６８と、ＲＸプロセッサ６５６と、コントローラ／プロセッサ６５９とを含み得る。したがって、一構成では、上述の手段は、上述の手段によって具陳された機能を実施するように構成されたＴＸプロセッサ６６８と、ＲＸプロセッサ６５６と、コントローラ／プロセッサ６５９とであり得る。
【００８１】
[0095]開示したプロセス／フローチャートにおけるブロックの特定の順序または階層は、例示的な手法の一例であることを理解されたい。設計選好に基づいて、プロセス／フローチャートにおけるブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【００８２】
[0096]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
サービングセルの時分割複信（ＴＤＤ）構成およびマルチキャストブロードキャスト単一周波数ネットワーク（ＭＢＳＦＮ）構成を決定することと、
１つまたは複数のネイバリングセルのＴＤＤ構成およびＭＢＳＦＮ構成のうちの少なくとも１つを示すネイバーセル構成情報を受信することと、
前記１つまたは複数のネイバリングセルのうちの少なくとも１つのための発見基準信号（ＤＲＳ）の構成を受信すること、ここにおいて、前記構成は、少なくとも前記ＤＲＳのための開始サブフレームインデックスを備える、と、
前記受信されたネイバーセル構成情報、前記サービングセルの前記ＴＤＤ構成および前記ＭＢＳＦＮ構成、ならびに前記ＤＲＳのための前記開始サブフレームインデックスのうちの少なくとも１つに基づいて、前記１つまたは複数のネイバリングセルのうちの前記少なくとも１つのための前記ＤＲＳの持続時間の１つまたは複数のサブフレーム中に共通基準信号（ＣＲＳ）が存在するかどうかを決定することと
を備える、ワイヤレス通信の方法。
［Ｃ２］
前記１つまたは複数のサブフレーム中に前記ＣＲＳが存在すると決定されたとき、前記１つまたは複数のネイバリングセルのうちの前記少なくとも１つを測定することをさらに備える、
［Ｃ１］に記載の方法。
［Ｃ３］
ＤＲＳの前記受信された構成は、前記１つまたは複数のネイバリングセルのうちの前記少なくとも１つのためのチャネル状態情報基準信号（ＣＳＩ−ＲＳ）構成の少なくとも１つをさらに示す、
［Ｃ１］に記載の方法。
［Ｃ４］
前記ＣＲＳが存在するかどうかを前記決定することは、前記ＣＳＩ−ＲＳ構成にさらに基づく、
［Ｃ３］に記載の方法。
［Ｃ５］
前記ＣＳＩ−ＲＳ構成中の少なくとも１つのＣＳＩ−ＲＳは、前記１つまたは複数のネイバリングセルのうちの前記少なくとも１つに関連する、
［Ｃ４］に記載の方法。
［Ｃ６］
ＣＳＩ−ＲＳが、前記１つまたは複数のサブフレームのうちの少なくとも１つ中に存在するように構成されると決定することをさらに備え、
前記決定することは、前記１つまたは複数のサブフレームのうちの前記少なくとも１つ中に前記ＣＲＳが存在すると決定することを備える、
［Ｃ４］に記載の方法。
［Ｃ７］
前記１つまたは複数のサブフレーム中のスペシャルサブフレームを決定することと、
前記ＣＳＩ−ＲＳが前記スペシャルサブフレーム中に存在するように構成されると決定することと
をさらに備え、
前記ＣＲＳが存在するかどうかを前記決定することは、前記スペシャルサブフレーム中のＣＳＩ−ＲＳを含んでいる最後のシンボルに基づいて、前記スペシャルサブフレーム中に前記ＣＲＳが存在すると決定することを備える、
［Ｃ４］に記載の方法。
［Ｃ８］
ＣＳＩ−ＲＳは、非ゼロ電力ＣＳＩ−ＲＳまたはゼロ電力ＣＳＩ−ＲＳのうちの少なくとも１つである、
［Ｃ３］に記載の方法。
［Ｃ９］
ＣＳＩ−ＲＳは、スペシャルサブフレーム中に存在することを禁止される、
［Ｃ３］に記載の方法。
［Ｃ１０］
前記構成は、前記ＤＲＳの前記持続時間を備え、
ＣＳＩ−ＲＳは、前記ＤＲＳの前記示された持続時間中の第１のサブフレーム中に存在するように構成され、前記第１のサブフレームの後の１つまたは複数のサブフレームがダウンリンクサブフレームであると決定することをさらに備える、
［Ｃ９］に記載の方法。
［Ｃ１１］
前記第１のサブフレームは、フレームのサブフレーム６である、
［Ｃ１０］に記載の方法。
［Ｃ１２］
前記構成は、前記ＤＲＳの前記持続時間を備え、前記方法は、
前記ＤＲＳの前記持続時間中の最後のサブフレームがアップリンクサブフレームであるかどうかを決定することと、
前記ＤＲＳ持続時間中の前記最後のサブフレームがアップリンクサブフレームであると決定されたとき、前記ＤＲＳ構成が誤構成であると決定することと
をさらに備える、［Ｃ１］に記載の方法。
［Ｃ１３］
サービングセルの時分割複信（ＴＤＤ）構成およびマルチキャストブロードキャスト単一周波数ネットワーク（ＭＢＳＦＮ）構成を決定するための手段と、
１つまたは複数のネイバリングセルのＴＤＤ構成およびＭＢＳＦＮ構成のうちの少なくとも１つを示すネイバーセル構成情報を受信するための手段と、
前記１つまたは複数のネイバリングセルのうちの少なくとも１つのための発見基準信号（ＤＲＳ）の構成を受信するための手段、ここにおいて、前記構成が、少なくとも前記ＤＲＳのための開始サブフレームインデックスを備える、と、
前記受信されたネイバーセル構成情報、前記サービングセルの前記ＴＤＤ構成および前記ＭＢＳＦＮ構成、ならびに前記ＤＲＳのための前記開始サブフレームインデックスのうちの少なくとも１つに基づいて、前記１つまたは複数のネイバリングセルのうちの前記少なくとも１つのための前記ＤＲＳの持続時間の１つまたは複数のサブフレーム中に共通基準信号（ＣＲＳ）が存在するかどうかを決定するための手段と
を備える、ワイヤレス通信のための装置。
［Ｃ１４］
前記１つまたは複数のサブフレーム中に前記ＣＲＳが存在すると決定されたとき、前記１つまたは複数のネイバリングセルのうちの前記少なくとも１つを測定するための手段をさらに備える、
［Ｃ１３］に記載の装置。
［Ｃ１５］
ＤＲＳの前記受信された構成が、前記１つまたは複数のネイバリングセルのうちの前記少なくとも１つのためのチャネル状態情報基準信号（ＣＳＩ−ＲＳ）構成の少なくとも１つをさらに示す、
［Ｃ１３］に記載の装置。
［Ｃ１６］
前記決定するための手段は、前記ＣＳＩ−ＲＳ構成にさらに基づいて、前記ＣＲＳが存在するかどうかを決定するように構成される、
［Ｃ１５］に記載の装置。
［Ｃ１７］
前記ＣＳＩ−ＲＳ構成中の少なくとも１つのＣＳＩ−ＲＳは、前記１つまたは複数のネイバリングセルのうちの前記少なくとも１つに関連する、
［Ｃ１６］に記載の装置。
［Ｃ１８］
ＣＳＩ−ＲＳが、前記１つまたは複数のサブフレームのうちの少なくとも１つ中に存在するように構成されると決定するための手段をさらに備え、前記決定するための手段は、前記１つまたは複数のサブフレームのうちの前記少なくとも１つ中に前記ＣＲＳが存在すると決定するように構成される、
［Ｃ１６］に記載の装置。
［Ｃ１９］
前記１つまたは複数のサブフレーム中のスペシャルサブフレームを決定するための手段と、
前記ＣＳＩ−ＲＳが前記スペシャルサブフレーム中に存在するように構成されると決定するための手段と
をさらに備え、
前記決定するための手段は、前記スペシャルサブフレーム中のＣＳＩ−ＲＳを含んでいる最後のシンボルに基づいて、前記スペシャルサブフレーム中に前記ＣＲＳが存在すると決定するように構成される、
［Ｃ１６］に記載の装置。
［Ｃ２０］
ＣＳＩ−ＲＳは、非ゼロ電力ＣＳＩ−ＲＳまたはゼロ電力ＣＳＩ−ＲＳのうちの少なくとも１つである、
［Ｃ１５］に記載の装置。
［Ｃ２１］
ＣＳＩ−ＲＳは、スペシャルサブフレーム中に存在することを禁止される、
［Ｃ１５］に記載の装置。
［Ｃ２２］
前記構成は、前記ＤＲＳの前記持続時間を備え、
ＣＳＩ−ＲＳは、第１のサブフレーム中に存在するように構成され、前記第１のサブフレームの後の１つまたは複数のサブフレームがダウンリンクサブフレームであると決定するための手段をさらに備える、
［Ｃ２１］に記載の装置。
［Ｃ２３］
前記第１のサブフレームは、フレームのサブフレーム６である、
［Ｃ２２］に記載の装置。
［Ｃ２４］
前記構成は、前記ＤＲＳの前記持続時間を備え、前記決定するための手段は、前記ＤＲＳの前記持続時間中の最後のサブフレームがアップリンクサブフレームであるかどうかを決定することと、前記最後のサブフレームがアップリンクフレームであると決定されたとき、前記ＤＲＳ構成が誤構成であると決定することとを行うようにさらに構成される、
［Ｃ１３］に記載の装置。
［Ｃ２５］
メモリと、
前記メモリに結合された少なくとも１つのプロセッサと
を備え、前記少なくとも１つのプロセッサは、
サービングセルの時分割複信（ＴＤＤ）構成およびマルチキャストブロードキャスト単一周波数ネットワーク（ＭＢＳＦＮ）構成を決定することと、
１つまたは複数のネイバリングセルのＴＤＤ構成およびＭＢＳＦＮ構成のうちの少なくとも１つを示すネイバーセル構成情報を受信することと、
前記１つまたは複数のネイバリングセルのうちの少なくとも１つのための発見基準信号（ＤＲＳ）の構成を受信すること、ここにおいて、前記構成が、少なくとも前記ＤＲＳのための開始サブフレームインデックスを備える、と、
前記受信されたネイバーセル構成情報、前記サービングセルの前記ＴＤＤ構成および前記ＭＢＳＦＮ構成、ならびに前記ＤＲＳのための前記開始サブフレームインデックスのうちの少なくとも１つに基づいて、前記１つまたは複数のネイバリングセルのうちの前記少なくとも１つのための前記ＤＲＳの持続時間の１つまたは複数のサブフレーム中に共通基準信号（ＣＲＳ）が存在するかどうかを決定することと
を行うように構成される、ワイヤレス通信のための装置。
［Ｃ２６］
前記少なくとも１つのプロセッサは、前記１つまたは複数のサブフレーム中に前記ＣＲＳが存在すると決定されたとき、前記１つまたは複数のネイバリングセルのうちの前記少なくとも１つを測定するようにさらに構成される、
［Ｃ２５］に記載の装置。
［Ｃ２７］
ＤＲＳの前記受信された構成は、前記１つまたは複数のネイバリングセルのうちの前記少なくとも１つのためのチャネル状態情報基準信号（ＣＳＩ−ＲＳ）構成の少なくとも１つをさらに示す、
［Ｃ２５］に記載の装置。
［Ｃ２８］
前記少なくとも１つのプロセッサは、前記ＣＳＩ−ＲＳ構成に基づいて、前記１つまたは複数のネイバリングセルのうちの前記少なくとも１つのための前記１つまたは複数のサブフレーム中のＣＲＳの存在を決定するようにさらに構成される、
［Ｃ２７］に記載の装置。
［Ｃ２９］
前記ＣＳＩ−ＲＳ構成中の少なくとも１つのＣＳＩ−ＲＳは、前記１つまたは複数のネイバリングセルのうちの前記少なくとも１つに関連する、
［Ｃ２８］に記載の装置。
［Ｃ３０］
前記少なくとも１つのプロセッサは、
ＣＳＩ−ＲＳが、前記１つまたは複数のサブフレームのうちの少なくとも１つ中に存在するように構成されると決定することと、
前記１つまたは複数のサブフレームのうちの前記少なくとも１つ中にＣＲＳが存在すると決定することと
を行うようにさらに構成される、［Ｃ２８］に記載の装置。
［Ｃ３１］
前記少なくとも１つのプロセッサは、
前記１つまたは複数のサブフレーム中のスペシャルサブフレームを決定することと、
前記ＣＳＩ−ＲＳが前記スペシャルサブフレーム中に存在するように構成されると決定することと、
前記スペシャルサブフレーム中のＣＳＩ−ＲＳを含んでいる最後のシンボルに基づいて、前記スペシャルサブフレーム中に前記ＣＲＳが存在すると決定することと
を行うようにさらに構成される、［Ｃ２８］に記載の装置。
［Ｃ３２］
ＣＳＩ−ＲＳは、非ゼロ電力ＣＳＩ−ＲＳまたはゼロ電力ＣＳＩ−ＲＳのうちの少なくとも１つである、
［Ｃ２７］に記載の装置。
［Ｃ３３］
ＣＳＩ−ＲＳは、スペシャルサブフレーム中に存在することを禁止される、
［Ｃ２７］に記載の装置。
［Ｃ３４］
前記構成は、前記ＤＲＳの前記持続時間を備え、
ＣＳＩ−ＲＳが第１のサブフレーム中に存在するように構成され、前記少なくとも１つのプロセッサは、前記第１のサブフレームの後の１つまたは複数のサブフレームがダウンリンクサブフレームであると決定するようにさらに構成される、
［Ｃ３３］に記載の装置。
［Ｃ３５］
前記第１のサブフレームは、フレームのサブフレーム６である、
［Ｃ３４］に記載の装置。
［Ｃ３６］
前記構成は、前記ＤＲＳの前記持続時間を備え、前記少なくとも１つのプロセッサは、
前記ＤＲＳの前記持続時間中の最後のサブフレームがアップリンクサブフレームであるかどうかを決定することと、
前記最後のサブフレームがアップリンクフレームであると決定されたとき、前記ＤＲＳ構成が誤構成であると決定することと
を行うようにさらに構成される、［Ｃ２５］に記載の装置。
［Ｃ３７］
ワイヤレス通信のためのコンピュータ実行可能コードを記憶するコンピュータ可読媒体であって、
サービングセルの時分割複信（ＴＤＤ）構成およびマルチキャストブロードキャスト単一周波数ネットワーク（ＭＢＳＦＮ）構成を決定することと、
１つまたは複数のネイバリングセルのＴＤＤ構成およびＭＢＳＦＮ構成のうちの少なくとも１つを示すネイバーセル構成情報を受信することと、
前記１つまたは複数のネイバリングセルのうちの少なくとも１つのための発見基準信号（ＤＲＳ）の構成を受信すること、ここにおいて、前記構成が、少なくとも前記ＤＲＳのための開始サブフレームインデックスを備える、と、
前記受信されたネイバーセル構成情報、前記サービングセルの前記ＴＤＤ構成および前記ＭＢＳＦＮ構成、ならびに前記ＤＲＳのための前記開始サブフレームインデックスのうちの少なくとも１つに基づいて、前記１つまたは複数のネイバリングセルのうちの前記少なくとも１つのための前記ＤＲＳの持続時間の１つまたは複数のサブフレーム中に共通基準信号（ＣＲＳ）が存在するかどうかを決定することと
を行うためのコードを備える、コンピュータ可読媒体。
［Ｃ３８］
前記１つまたは複数のサブフレーム中に前記ＣＲＳが存在すると決定されたとき、前記１つまたは複数のネイバリングセルのうちの前記少なくとも１つを測定するためのコードをさらに備える、
［Ｃ３７］に記載のコンピュータ可読媒体。
［Ｃ３９］
ＤＲＳの前記受信された構成は、前記１つまたは複数のネイバリングセルのうちの前記少なくとも１つのためのチャネル状態情報基準信号（ＣＳＩ−ＲＳ）構成の少なくとも１つをさらに示す、
［Ｃ３７］に記載のコンピュータ可読媒体。
［Ｃ４０］
前記ＣＲＳが存在するかどうかを前記決定することは、前記ＣＳＩ−ＲＳ構成にさらに基づく、
［Ｃ３９］に記載のコンピュータ可読媒体。
［Ｃ４１］
前記ＣＳＩ−ＲＳ構成中の少なくとも１つのＣＳＩ−ＲＳは、前記１つまたは複数のネイバリングセルのうちの前記少なくとも１つに関連する、
［Ｃ４０］に記載のコンピュータ可読媒体。
［Ｃ４２］
ＣＳＩ−ＲＳは、前記１つまたは複数のサブフレームのうちの少なくとも１つ中に存在するように構成されると決定するためのコードをさらに備え、
前記決定することは、前記１つまたは複数のサブフレームのうちの前記少なくとも１つ中に前記ＣＲＳが存在すると決定することを備える、
［Ｃ４０］に記載のコンピュータ可読媒体。
［Ｃ４３］
前記１つまたは複数のサブフレーム中のスペシャルサブフレームを決定することと、
前記ＣＳＩ−ＲＳが前記スペシャルサブフレーム中に存在するように構成されると決定することと
を行うためのコードをさらに備え、
前記ＣＲＳが存在するかどうかを前記決定することは、前記スペシャルサブフレーム中のＣＳＩ−ＲＳを含んでいる最後のシンボルに基づいて、前記スペシャルサブフレーム中に前記ＣＲＳが存在すると決定することを備える、
［Ｃ４０］に記載のコンピュータ可読媒体。
［Ｃ４４］
ＣＳＩ−ＲＳは、非ゼロ電力ＣＳＩ−ＲＳまたはゼロ電力ＣＳＩ−ＲＳのうちの少なくとも１つである、
［Ｃ３９］に記載のコンピュータ可読媒体。
［Ｃ４５］
ＣＳＩ−ＲＳは、スペシャルサブフレーム中に存在することを禁止される、
［Ｃ３９］に記載のコンピュータ可読媒体。
［Ｃ４６］
前記構成は、前記ＤＲＳの前記持続時間を備え、ＣＳＩ−ＲＳは、前記ＤＲＳの前記示された持続時間中の第１のサブフレーム中に存在するように構成され、
前記第１のサブフレームの後の１つまたは複数のサブフレームがダウンリンクサブフレームであると決定するためのコードをさらに備える、
［Ｃ４５］に記載のコンピュータ可読媒体。
［Ｃ４７］
前記第１のサブフレームは、フレームのサブフレーム６である、
［Ｃ４６］に記載のコンピュータ可読媒体。
［Ｃ４８］
前記構成は、前記ＤＲＳの前記持続時間を備え、前記コンピュータ可読媒体は、
前記ＤＲＳの前記持続時間中の最後のサブフレームがアップリンクサブフレームであるかどうかを決定することと、
前記ＤＲＳ持続時間中の前記最後のサブフレームがアップリンクサブフレームであると決定されたとき、前記ＤＲＳ構成が誤構成であると決定することと
を行うためのコードをさらに備える、［Ｃ３７］に記載のコンピュータ可読媒体。
【図１】
0006700257.tif 000004
【図２】
0006700257.tif 000005
【図３】
0006700257.tif 000006
【図４】
0006700257.tif 000007
【図５】
0006700257.tif 000008
【図６】
0006700257.tif 000009
【図７】
0006700257.tif 000010
【図８】
0006700257.tif 000011
【図９】
0006700257.tif 000012
【図１０】
0006700257.tif 000013
【図１１】
0006700257.tif 000014
【図１２】
0006700257.tif 000015
【図１３Ａ】
0006700257.tif 000016
【図１３Ｂ】
0006700257.tif 000017
【図１４】
0006700257.tif 000018
【図１５】
0006700257.tif 000019